(57)【特許請求の範囲】
【請求項１】
人形体の関節構造であって、
関節部材を有する胴体部分と、
前記関節部材に前記人形体に対して左右方向に回動可能に連結された腿部分と
を備え、
前記腿部分は、前記腿部分が前記人形体に対して左右方向に開閉できるように前記関節部材に回動可能に連結された芯部材と、前記芯部材を覆う外装部材とを有し、前記胴体部分と前記外装部材とは前記関節部材に対して前記腿部分が回動することにより干渉または離間する人形体の関節構造であって、  
前記腿部分の回動中心は、前記腿部分の中心軸線が前記関節部材の中心軸線と交差し、前記関節部材の中心軸線に交差する前記腿部分の中心軸線の外側かつ、前記関節部材の中心軸線の、前記関節部材と前記腿部分とによって形成される内角が位置する側の反対側に配置される人形体の関節構造。
【請求項２】
請求項１記載の人形体の関節構造であって、
前記腿部分の中心軸線が前記関節部材の中心軸線と交差し、前記腿部分が前記関節部材の中心軸線に対して屈曲された状態で前記腿部分の中心軸線の外側に配置されている前記腿部分の外側部位において、前記腿部分は、前記外装部材上の前記関節部材側に位置し前記胴体部分に干渉する一方の端部を有し、当該一方の端部は、前記腿部分の他方の端部と前記腿部分の回動中心を挟んで反対側に配置されている人形体の関節構造。
【発明の詳細な説明】
【技術分野】
【０００１】
本発明は、人形体の関節構造に関する。
【背景技術】
【０００２】
特許文献１に記載された人形体の関節構造は、肘の関節構造であって、上腕部分と、関節部材と、関節部材に回動可能に連結された前腕部分とを備えており、前腕部分は関節部材に対する回動を伴って屈伸される。
【先行技術文献】
【特許文献】
【０００３】
【特許文献１】特開２００５−３４４００号公報
【発明の概要】
【発明が解決しようとする課題】
【０００４】
人形体の関節構造には可動範囲の拡大が要請され、例えば特許文献１に記載された肘の関節構造であれば、前腕部分の屈伸角度範囲の拡大が要請される。
【０００５】
本発明は、可動範囲を拡大可能な人形体の関節構造を提供することを目的とする。
【課題を解決するための手段】
【０００６】
本発明に係る人形体の関節構造は、関節部材を有する第１部分と、前記関節部材に回動可能に連結され、前記関節部材の中心軸線に対して屈曲される第２部分とを備え、前記第２部分の回動中心は、前記第２部分が前記関節部材の中心軸線に対して屈曲された状態で、前記関節部材の中心軸線に交差する前記第２部分の中心軸線の屈曲外側かつ、前記関節部材の中心軸線の屈曲外側に配置されていることを特徴とする。
また、本発明に係る人形体の関節構造は、関節部材を有する第１部分と、前記関節部材に回動可能に連結され、前記関節部材の中心軸線に対して屈曲される第２部分とを備え、前記第２部分の回動中心は、前記第２部分が前記関節部材の中心軸線に対して屈曲された状態で、前記関節部材の中心軸線に交差する前記第２部分の中心軸線の屈曲外側かつ、前記関節部材の中心軸線の屈曲外側に配置され、前記第２部分は、前記関節部材に回動可能に連結された芯部材と、前記芯部材を覆う外装部材とを有していることを特徴とする。また、本発明に係る人形体の関節構造は、関節部材を有する第１部分と、前記関節部材に回動可能に連結され、前記関節部材の中心軸線に対して屈曲される第２部分とを備え、前記第２部分の回動中心は、前記第２部分が前記関節部材の中心軸線に対して屈曲された状態で、前記関節部材の中心軸線に交差する前記第２部分の中心軸線の屈曲外側かつ、前記関節部材の中心軸線の屈曲外側に配置され、前記第２部分は、前記関節部材に回動可能に連結された芯部材と、前記芯部材を覆う外装部材とを有し、前記第1部分と前記外装部材とは離間可能であることを特徴とする。また、本発明に係る人形体の関節構造は、関節部材を有する胴体部分と、前記関節部材に前記関節部材の中心軸線に対して屈曲できるように回動可能に連結された腿部分とを備え、前記腿部分は、前記関節部材に回動可能に連結された芯部材と、前記芯部材を覆う外装部材とを有し、前記胴体部分と前記外装部材とは前記腿部分が前記関節部材の中心軸線に対して屈曲されることにより離間可能である人形体の関節構造であって、前記腿部分の回動中心は、前記腿部分が前記関節部材の中心軸線に対して屈曲された状態で、前記関節部材の中心軸線に交差する前記腿部分の中心軸線の屈曲外側かつ、前記関節部材の中心軸線の屈曲外側に配置されることを特徴とする。また、本発明に係る人形体の関節構造は、関節部材を有する胴体部分と、前記関節部材に前記人形体に対して左右方向に回動可能に連結された腿部分とを備え、前記腿部分は、前記腿部分が前記人形体に対して左右方向に開閉できるように前記関節部材に回動可能に連結された芯部材と、前記芯部材を覆う外装部材とを有し、前記胴体部分と前記外装部材とは前記関節部材に対して前記腿部分が回動することにより干渉または離間する人形体の関節構造であって、前記腿部分の回動中心は、前記腿部分の中心軸線が前記関節部材の中心軸線と交差し、前記関節部材の中心軸線に交差する前記腿部分の中心軸線の外側かつ、前記関節部材の中心軸線の、前記関節部材と前記腿部分とによって形成される内角が位置する側の反対側に配置されることを特徴とする。
【０００７】
また、本発明に係る人形体の関節構造においては、前記第２部分が前記関節部材の中心軸線に対して屈曲された状態で前記第２部分の中心軸線の屈曲外側に配置されている前記第２部分の外側部位において、前記第２部分の前記関節部材側の一方の端部は、前記第２部分の他方の端部と前記第２部分の回動中心を挟んで反対側に配置されていてもよい。また、本発明に係る人形体の関節構造においては、  請求項１記載の人形体の関節構造であって、前記腿部分が前記関節部材の中心軸線に対して屈曲された状態で前記腿部分の中心軸線の屈曲外側に配置されている前記腿部分の外側部位において、前記腿部分は前記関節部材側に位置する一方の端部を有し、当該一方の端部は、前記腿部分の他方の端部と前記腿部分の回動中心を挟んで反対側に配置されていてもよい。また、本発明に係る人形体の関節構造においては、前記腿部分の中心軸線が前記関節部材の中心軸線と交差し、前記腿部分が前記関節部材の中心軸線に対して屈曲された状態で前記腿部分の中心軸線の外側に配置されている前記腿部分の外側部位において、前記腿部分は、前記外装部材上の前記関節部材側に位置し前記胴体部分に干渉する一方の端部を有し、当該一方の端部は、前記腿部分の他方の端部と前記腿部分の回動中心を挟んで反対側に配置されていてもよい。
【０００８】
また、本発明に係る人形体の関節構造においては、前記関節部材及び前記第２部分の各々の中心軸線と交差する方向に延在し、前記関節部材と前記第２部分とを回動可能に連結する軸部材をさらに備えてもよい。
また、本発明に係る人形体の関節構造においては、前記関節部材及び前記第２部分の各々の中心軸線と交差する方向に延在し、前記関節部材と前記第２部分とを回動可能に連結する軸部材を備えてもよい。
【０００９】
また、本発明に係る人形体の関節構造においては、前記第１部分は胴体部であり、前記第２部分は大腿部であってもよい。
【発明の効果】
【００１０】
本発明によれば、可動範囲を拡大可能な人形体の関節構造を提供することができる。
【図面の簡単な説明】
【００１１】
【図１】本発明の実施形態を説明するための、人形体の関節構造の一例の構成を示し、関節構造を構成する第２部分が屈曲された状態を示す図である。
【図２】図１の関節構造を構成する第２部分が展開された状態を示す図である。
【発明を実施するための形態】
【００１２】
図１及び図２は、本発明の実施形態を説明するための、人形体の関節構造の一例の構成を示す。
【００１３】
図１及び図２に示す人形体の関節構造１は、股関節の関節構造であって、関節部材３を有する胴体部分（第１部分）２と、腿部分（第２部分）４とを備え、腿部分４を人形体の前後方向に振るように且つ人形体の左右方向に開くように動かすことが可能に構成されている。
【００１４】
関節部材３は、腿部分４を人形体の前後方向に振ることができるように、人形体の左右方向に延びる関節部材３の中心軸線Ｘまわりに回動可能に胴体部分２に連結されている。  
【００１５】
腿部分４は、芯部材５と、芯部材５を覆う外装部材６とを有する。
【００１６】
芯部材５は軸部材７を介して関節部材３に回動可能に連結されている。軸部材７は、腿部分４を人形体の左右方向に開くことができるように、人形体の前後方向に延設されている。軸部材７を介して関節部材３に回動可能に連結された腿部分４は、関節部材３の中心軸線Ｘに対して屈曲可能に構成されている。
【００１７】
腿部分４の中心軸線Ｙは、腿部分４が関節部材３の中心軸線Ｘに対して屈曲された状態（図１）で、関節部材３の中心軸線Ｘと交差し、人形体の上下方向に延びている。軸部材７は、人形体の左右方向に延びる関節部材３の中心軸線Ｘ及び人形体の上下方向に延びる腿部分４の中心軸線Ｙの各々の中心軸線に交差する方向に延設されている。
【００１８】
そして、軸部材７は、腿部分４が屈曲された状態で、腿部分４の中心軸線Ｙの屈曲外側に配置されている。さらに、図示の例では、軸部材７は、腿部分４が屈曲された状態で、関節部材３の中心軸線Ｘの屈曲外側に配置されている。なお、関節部材３と腿部分４とによって形成される内角θが位置する側を「屈曲内側」といい、関節部材３の中心軸線Ｘに対して内角θが位置する側の反対側を「関節部材３の中心軸線Ｘの屈曲外側」というものとする。または、腿部分４の中心軸線Ｙに対して内角θが位置する側の反対側を「腿部分４の中心軸線Ｙの屈曲外側」というものとする。
【００１９】
また、図示の例では、腿部分４が屈曲された状態で中心軸線Ｙの屈曲外側に配置されている腿部分４の外側部位において、腿部分４の関節部材３側の一方の端部８は、他方の端部９と軸部材７を挟んで反対側に配置されている。
【００２０】
図２に、腿部分４が軸部材７を回動中心にして展開された際の端部８の円軌道Ｔ１を示す。また、腿部分４が屈曲された状態での関節部材３及び腿部分４の各々の中心軸線Ｘ、Ｙの交点をＯとして、交点Ｏを中心として端部８が通る円軌道Ｔ２を併せて示す。
【００２１】
軸部材７を関節部材３の中心軸線Ｘの屈曲外側かつ、腿部分４の中心軸線Ｙの屈曲外側に配置することにより、軸部材７を回動中心にして展開された際の端部８の回動半径ｒ１を円軌道Ｔ２の半径ｒ２よりも小さくできる。それにより、腿部分４の中心軸線Ｙの屈曲外側に配置されている端部８の通過軌跡長を縮小することができ、端部８が例えば胴体部分２と干渉する可能性を低減し、関節構造１の可動範囲を拡大することができる。
【００２２】
図示の例のように、腿部分４の関節部材３側の一方の端部８が腿部分４の他方の端部と軸部材７を挟んで反対側に配置されている場合に、腿部分４の展開に伴い端部８が例えば胴体部分２と干渉する可能性が高くなるので、特に有用である。
【００２３】
なお、腿部分４を関節部材３に回動可能に連結する手段として、上述した例では一自由度の軸部材７が用いられているが、関節部材３の中心軸線Ｘに対して腿部分４が屈伸可能であれば特に限定されず、例えばボールジョイントなどを用いることもできる。
【００２４】
以上、股関節を例に、本発明の人形体の関節構造を説明したが、上述した構成は、例えば肘関節、膝関節、肩関節、等の屈伸可能な関節に広く適用可能である。
【符号の説明】
【００２５】
１     関節構造
２     胴体部分（第１部分）
３     関節部材
４     腿部分（第２部分）
５     芯部材
６     外装部材
７     軸部材
８     端部
Ｘ     関節部材の中心軸線
Ｙ     第２部分の中心軸線
θ     内角
【図１】
0006013407.tif 000002
【図２】
0006013407.tif 000003